(57)【要約】【課題】インジケータ表示部の変更に容易に適応できるダイヤルノブのインジケータ導光構造を提供する。【解決手段】プッシュ部５の表示パネル１４におけるインジケータ表示部１４Ａの裏面側に、第２導光体ユニット１９を配置して、第１導光体１５の内壁部に保持した。第２導光体ユニット１９は第２導光体１８を遮光部１７で囲んだ構成であり、遮光部１７にフック部１７Ａを形成し、第１導光体１５の内壁部にフック挿入穴１５Ｃを形成してフック部１７Ａとフック挿入穴１５Ｃとを挿入・係合させた。【選択図】図１
2005209505.tif 000002
【特許請求の範囲】
【請求項１】
被取付体（９）側に固定される固定部（２）の筒状のハウジング（３）内に、
光源（２１）と、
前記ハウジング（３）内に嵌合された筒状のノブ（５）の表面外周へ光を導き、該ノブ表面外周部を照らす筒状の第１導光手段（１５）と、
前記ノブ（５）の中央部へ光を導くと共に、遮光部（１７）を有する第２導光手段（１８）と、
を備えたダイヤルノブのインジケータ導光構造であって、
前記遮光部（１７）を前記ハウジング（３）と別体に形成し、前記第１導光手段（１５）内の中空部に保持したことを特徴とするダイヤルノブのインジケータ導光構造。
【請求項２】
請求項１記載のダイヤルノブのインジケータ導光構造であって、
前記遮光部（１７）に係合部（１７Ａ）が設けられ、前記第１導光手段（１５）の筒内側面に前記係合部（１７Ａ）が係合される被係合部（１５Ｃ）が形成されていることを特徴とするダイヤルノブのインジケータ導光構造。
【請求項３】
請求項１又は請求項２に記載されたダイヤルノブのインジケータ導光構造であって、
前記第２導光手段（１８）は、前記ノブ（５）表面に設けられた表示パネル（１４）のインジケータ表示部（１４Ａ）の裏面部から前記被取付体（９）側へ向けて配置された棒状体であり、前記遮光部（１７）は前記第２導光手段（１８）の周囲を取り囲むように筒状に形成されていることを特徴とするダイヤルノブのインジケータ導光構造。
【請求項４】
請求項３記載のダイヤルノブのインジケータ導光構造であって、
前記係合部（１７Ａ）は、前記第２導光手段（１８）の外側に形成されたフック部（１７Ａ）であり、前記被係合部（１５Ｃ）は前記第１導光手段（１５）の内壁に形成されたフック挿入穴（１５Ｃ）であることを特徴とするダイヤルノブのインジケータ導光構造。
【発明の詳細な説明】
【技術分野】
【０００１】
本発明はダイヤルノブのインジケータ導光構造に関し、特に押しボタンスイッチのプッシュ部を含むダイヤルノブのインジケータ導光構造に関する。
【背景技術】
【０００２】
従来、図５に示すような中空ロータリースイッチと称される車載用のダイヤルノブスイッチ１００がある。このダイヤルノブスイッチ１００は、基板１０１に固定された固定部１０２の筒部１０３の外側に円筒状の回転スイッチ１０４と、固定部１０２の筒部１０３の内側に配置されて回転スイッチ１０４の回転軸方向（スライド方向）における基板１０１側に押圧する操作を行って、基板１０１に実装されたタクトスイッチ１０５を押圧してオン／オフする略円筒形状のノブとしてのプッシュ部１０６を備えている。
【０００３】
プッシュ部１０６は、固定部１０２の筒部１０３内をスライドする嵌合筒部１０６と押しボタン部１０６Ｂとを有している。また、押しボタン部１０６Ｂの表面には、インジケータ表示部１０７Ａや絵文字表示部１０７Ｂを備えた表示パネル１０７を備えている。そして、プッシュ部１０６の内部には、基板１０１に実装されたＬＥＤ１０８で発生した光をインジケータ表示部１０７Ａの裏面側へ導くインジケータ用導光体１０９が配置されている。図６に示すように、このインジケータ用導光体１０９は、プッシュ部１０６内に嵌合筒部１０６Ａと一体成形された遮光筒１１０で囲まれている。また、絵文字表示部１０７Ｂの裏面側には、別のＬＥＤ１１１からの光を導く絵文字用導光体１１２がプッシュ部１０６内面に沿って配置されている。
【０００４】
また、他のスイッチの導光構造としては、種々のものが知られている（例えば、特許文献１及び特許文献２参照。）。
【特許文献１】特開２００２−２３１１０１号公報
【特許文献２】特開平１１−１６２２８０号公報
【発明の開示】
【発明が解決しようとする課題】
【０００５】
しかしながら、上述したに示したダイヤルノブスイッチ１００では、インジケータ表示部１０７Ａの位置が設計により変更されると、遮光筒１１０の位置を変更できず、このままではインジケータ表示部１０７Ａを適正に照明することができなくなるという問題があった。
【０００６】
そこで、本発明の目的は、インジケータ表示部の変更に容易に適応できるダイヤルノブのインジケータ導光構造を提供することにある。
【課題を解決するための手段】
【０００７】
請求項１記載の発明は、被取付体側に固定される固定部の筒状のハウジング内に、光源と、前記ハウジング内に嵌合された筒状のノブの表面外周へ光りを導き、該ノブ表面外周部を照らす筒状の第１導光手段と、前記ノブの中央部へ光を導くと共に、遮光部を有する第２導光手段と、を備えたダイヤルノブのインジケータ導光構造に関するものである。この発明に係るダイヤルノブのインジケータ導光構造は、前記遮光部を前記ハウジングと別体に形成し、前記第１導光手段内の中空部に保持したことを特徴としている。
【０００８】
請求項２記載の発明は、請求項１記載のダイヤルノブのインジケータ導光構造に関するものである。この発明に係るダイヤルノブのインジケータ導光構造は、前記遮光部に係合部が設けられ、前記第１導光手段の筒内側面に前記係合部が係合される被係合部が形成されていることを特徴としている。
【０００９】
請求項３記載の発明は、請求項１又は請求項２に記載されたダイヤルノブのインジケータ導光構造に関するものである。この発明に係るダイヤルノブのインジケータ導光構造は、前記第２導光手段が、前記ノブ表面に設けられた表示パネルのインジケータ表示部の裏面部から前記被取付体側へ向けて配置された棒状体であり、前記遮光部は前記第２導光手段の周囲を取り囲むように筒状に形成されていることを特徴としている。
【００１０】
請求項４記載の発明は、請求項３記載のダイヤルノブのインジケータ導光構造に関するものである。この発明に係るダイヤルノブのインジケータ導光構造は、前記係合部が、前記第２導光手段の外側に形成されたフック部であり、前記被係合部が前記第１導光手段の内壁に形成されたフック挿入穴であることを特徴としている。
【発明の効果】
【００１１】
請求項１記載の発明によれば、第２導光手段に設けられた遮光部をハウジングと別体に形成し、第１導光手段内の中空部に保持したことにより、第２遮光手段の配置の自由度を向上して、ノブの中央部に配置されるインジケータ表示部の位置変更に追従させることができる。
【００１２】
請求項２記載の発明によれば、遮光部に係合部が設けられ、第１導光手段の筒内側面に係合部が係合される被係合部が形成されているため、遮光部を第１導光手段に係合させることにより容易に保持させることができる。なお、第１導光手段へ被係合部を設けには、第１導光手段の成形時でもよいし後付でもよく、製造コストが高くなることを抑制できる。
【００１３】
請求項３記載の発明によれば、棒状体でなる第２導光手段がノブ表面に設けられた表示パネルのインジケータ表示部の裏面部から前記被取付体側へ向けて配置され、この第２導光手段を遮光部が取り囲むため、インジケータ表示部へ光源からの光をスポット照射できるため、見栄えのよいインジケータ表示を行うことができる。
【００１４】
請求項４記載の発明によれば、係合部と被係合部がフック部とフック挿入穴であるため、簡単な構造で第２導光手段の保持を実現できる。
【発明を実施するための最良の形態】
【００１５】
次に、図面を参照して、本発明の実施の形態に係るダイヤルノブのインジケータ導光構造について詳細に説明する。なお、図１は本実施の形態に係るダイヤルノブスイッチの完成品を回転中心を含む面で切断した状態を示す断面図、図２は第１導光手段と第２導光手段とを分離した状態を示す分解斜視図、図３は第１導光手段に第２導光手段とを保持させた状態を示す斜視図、図４はプッシュ部の背面図である。
【００１６】
図１に示すように、本実施の形態に係るダイヤルノブスイッチ１は、被取付体側に固定される略円筒状の固定部２と、この固定部２のハウジングとしての筒部３の外側に回転可能に嵌合された筒状の回転スイッチ（中空ロータリースイッチ）４と、固定部２の筒部３の内側に回転不能で、且つスライド方向（図中矢印ａで示す）にスライド可能に嵌合された略円筒状のノブとしてのプッシュ部５とを備えて概略構成されている。
【００１７】
固定部２は、図１に示すように、筒部３の基部側に外側に突出して周回するようにフランジ部６が形成されている。このフランジ部６の周縁部には、この周縁部に沿って周回するように立ち上がり壁７が一体に形成されている。上記フランジ部６の上面には、例えば補機のボリューム調節に供される図示しない配線板等が配置されている。なお、固定部２における筒部３の基部は、基板８に固定されている。本実施の形態においてこの基板８は、被取付部である支持体９に固設されている。
【００１８】
回転スイッチ４の取付側（図１においては右側）の端部には、固定部２のフランジ部６よりも小径の図示しない摺動フランジ部が周回して形成されている。この摺動フランジ部の下面には、例えばフランジ部６上に配置された配線板（図示省略する）のボリューム調節用配線パターンに摺接して例えば負荷抵抗を変化させる図示しない接点部材が固定されている。また、この回転スイッチ４は、固定部２の筒部３から抜け出さないように、図示しない抜け止め手段で回動可能に保持されている。なお、回転スイッチ４の基部と反対側の端部には、円筒形状の回転操作ツマミ８が周回して結合されている。この回転操作ツマミ８の所定位置には、図示しない光源から光を伝達するインジケータダイヤル９が配置されている。
【００１９】
また、固定部２の筒部３の内壁には、図１に示すように、スライド方向に沿って延びる案内溝１０が形成されている。この案内溝１０は、スライド方向に沿って延びる直線状の溝である。この案内溝１０には、後述するプッシュ部５に形成したリブ１１が摺動自在に収容されている。なお、この案内溝１０は、筒部３の内壁の周方向に沿った少なくとも３箇所に形成されている。
【００２０】
プッシュ部５は、図１に示すように、プッシュ部５内の所定位置には、軸方向に沿ってタクトスイッチ押圧部１２が一体に設けられている。この車載用押しボタンスイッチ１では、図１に示すように、太い矢印で示す方向にプッシュ部５を押すことにより、固定部２の筒部３における基部側の基板８に設けられたタクトスイッチ１３が、プッシュ部５のタクトスイッチ押圧部１２の端部で押圧されて、オン／オフされるようになっている。
【００２１】
プッシュ部５の周面には、固定部２の筒部３の内壁に形成された複数の案内溝１０に対応する位置に突堤状のリブ１１が形成されている。なお、プッシュ部５は、筒部３から突出する方向にタクトスイッチ１３の付勢手段で常時付勢されている。このため、無操作時では、筒部３からスライド方向手前に突出した状態となっている。
【００２２】
また、プッシュ部５の操作側端面には、インジケータ表示部１４Ａと絵文字表示１４Ｂとを有する表示パネル１４が装着されている。また、図１及び図４に示すように、表示パネル１４のインジケータ表示部１４Ａの裏面側には、第２導光体取付部１４Ｃが設けられている。この第２導光体取付部１４Ｃは、略円筒状に形成されている。
【００２３】
また、プッシュ部５の内壁面に沿って、図１〜図３に示すような略円筒状の第１導光体１５が配置されている。この第１導光体１５は、表示パネル１４の裏面周縁に沿って配置されるリング状導光部１５Ａと、このリング状導光部１５Ａから軸方向へ延在される半円筒状導光部１５Ｂとからなる。この半円筒状導光部１５Ｂの基端は基板８に実装された第１ＬＥＤ１６からの光を伝播させて、表示パネル１４の周囲を照明するようになっている。また、この第１導光体１５の半円筒状導光部１５Ｂの中空部の臨む所定位置には、フック挿入穴１５Ｃが形成されている。
【００２４】
そして、プッシュ部５に装着された第１導光体１５の内部の所定位置には、図２に示すように、筒状の遮光部１７で第２導光体１８が囲まれてなる第２導光体ユニット１９が保持されている。第２導光体ユニット１９には、遮光部１７の外側面に図２に示すようなフック部１７Ａが設けられている。第２導光体ユニット１９は、フック部１７Ａを第１導光体１５に形成されたフック挿入穴１５Ｃに挿入することにより、容易に装着することができる。このとき、第２導光体ユニット１９の先端部は、表示パネル１４のインジケータ表示部１４Ａの裏面側に形成した第２導光体取付部１４Ｃと導光可能に当接するようになっている。なお、基板８には、第２導光体ユニット１９が装着された状態で、第２導光体ユニット１９の先端が嵌合する遮光筒部２０が設けられている。また、この遮光筒部２０内には、第２ＬＥＤ２１が基板８に実装されている。このため、第２ＬＥＤ２１で発生した光は、遮光筒部２０で遮光され、第２導光体ユニット１９内に伝播される。第２導光体ユニット１９は遮光部１７で覆われているため、表示パネル１４のインジケータ表示部１４Ａの裏面まで光を逃がすことなく効率的にインジケータ表示部１４Ａを照明することができる。
【００２５】
以上、本実施の形態に係るダイヤルノブのインジケータ導光構造について説明したが、本実施の形態によれば、第２導光体１８に設けられた遮光部１７を筒部（ハウジング）３と別体に形成し、遮光部１７に形成したフック部１７Ａを第１導光体１５内の中空部に形成したフック挿入穴１５Ｃに挿入することで保持したことにより、簡単な装着ができる。また、フック挿入穴１５Ｃの形成位置を変更すれば、第２遮光体ユニット１９の配置の自由度を向上して、ノブの中央部に配置されるインジケータ表示部１４Ａの位置変更に追従させることができる。なお、第１導光体１５へフック挿入穴１５Ｃを設けには、第１導光体１５の成形時でもよいし後付でもよく、製造コストが高くなることを抑制できる。
【００２６】
また、本実施の形態では、棒状体の第２導光体１８がノブ表面に設けられた表示パネル１４のインジケータ表示部１４Ａの裏面部から第２ＬＥＤ２１へ向けて配置され、この第２導光体１８を遮光部１７が取り囲むため、インジケータ表示部１４Ａへ第２ＬＥＤ２１からの光をスポット照射できるため、見栄えのよいインジケータ表示を行うことができる。
【００２７】
［他の実施の形態］
以上、実施の形態について説明したが、本発明はこれに限定されるものではなく、構成の要旨に付随する各種の設計変更が可能である。
【００２８】
例えば、上述の実施の形態では、係合部と被係合部を、フック部１７Ａとフック挿入孔１５Ｃとしたが、保持手段はこれに限定されるものではなく、各種の保持手段を適用できる。
【産業上の利用可能性】
【００２９】
本発明は、ダイヤルノブスイッチの製造分野で利用可能である。
【図面の簡単な説明】
【００３０】
【図１】本発明の実施の形態に係るダイヤルノブのインジケータ導光構造を回転中心を含む面で切断した状態を示す断面図である。
【図２】本発明の実施の形態に係るダイヤルノブのインジケータ導光構造における第１導光手段と第２導光手段とを分離した状態を示す分解斜視図である。
【図３】本発明の実施の形態に係るダイヤルノブのインジケータ導光構造において第１導光手段に第２導光手段とを保持させた状態を示す斜視図である。
【図４】本発明の実施の形態に係るダイヤルノブのインジケータ導光構造におけるプッシュ部の背面図である。
【図５】従来のダイヤルノブのインジケータ導光構造を示す断面図である。
【図６】従来のダイヤルノブのインジケータ導光構造におけるプッシュ部の背面図である。
【符号の説明】
【００３１】
１…ダイヤルノブスイッチ
２…固定部
３…筒部（ハウジング）
４…回転スイッチ
５…プッシュ部
１４…表示パネル
１４Ａ…インジケータ表示部
１４Ｂ…絵文字表示部
１５…第１導光体（第１導光手段）
１６…第１ＬＥＤ１６
１７…遮光部
１７Ａ…フック部
１８…第２導光体
１９…第２導光体ユニット
２０…遮光筒部２０
２１…第２ＬＥＤ
【図１】
2005209505.tif 000003
【図２】
2005209505.tif 000004
【図３】
2005209505.tif 000005
【図４】
2005209505.tif 000006
【図５】
2005209505.tif 000007
【図６】
2005209505.tif 000008